(57)【特許請求の範囲】
【請求項１】
容器本体の首部開口に、注出孔を斜め上方に向けてなる注出部を側面上部に有する中栓を装着し、該中栓を覆うキャップが着脱可能にして取り付けられる液体注出用容器において、
前記注出部の注出孔周りに突堤を配し、キャップの内面と前記突堤とが摺接して前記注出部が閉鎖可能に設けられ、前記中栓の注出部と対向する反対側の対応部における前記注出孔の中心と同じ高さ位置に、前記キャップの内面と摺接する凸部を設けたことを特徴とする液体注出用容器。
【請求項２】
上記中栓の注出部より下位の断面円状の中栓胴部に、該中栓胴部の全周に亘って外方に向けて突出するリング部を設け、該リング部がキャップ内面に摺接する請求項１に記載の液体注出用容器。
【請求項３】
上記キャップは透明素材又は半透明素材から成形され、かつ、上記中栓は有色素材から成形されて、キャップを透かして中栓が透視可能に設けられている請求項１に記載の液体注出用容器。
【発明の詳細な説明】
【０００１】
【産業上の利用分野】
本発明は、液体注出用容器、特に弾性変形可能な容器本体を圧搾して内容物を注出するようにした容器に関するものである。
【０００２】
【従来の技術】
従来、この種の液体注出用容器においては、トイレ清掃用の薬液を収容して便器内縁などの廻り込んだ部分にその薬液を吹き付けることができるように、容器本体の高さ方向に対して注出孔の向きを傾斜させ、薬液を斜め上方に注出するようにしたものがある。そして、容器の転倒などにより内容物が注出孔から不用意に漏れ出ないように、キャップを取り付けて防止するようにしていた。
【０００３】
上記容器の一つとして、実開平６−６７３５４号公報に示されているように、容器本体の首部開口に装着される中栓に対して、斜め上方に向けて突出するノズルを設けてそのノズル先端に注出孔を囲む突堤を配置し、さらに、中栓を覆うキャップを容器本体の首部開口に螺着した時に、そのキャップの内面が前記突堤と摺接してノズルを閉鎖するようにした構成のものがある。そして、中栓におけるノズルに対向する反対側の部分と中栓を覆うキャップの内面との間に小隙間が得られるように形成されていて、キャップを螺着した時に、キャップ内面とノズル先端の突堤とが摺接するとともに、ノズル部分が僅かに後退できるようにした工夫がなされていた。即ち、キャップを螺着する際にキャップ内面に連れてノズル先端が下方に下がるのをそのノズル部分の後退によって防ぎ、ノズル先端の突堤を適正にキャップ内面に当接させて注出孔の閉鎖を図るようにしたものである。
【０００４】
【発明が解決しようとする課題】
ところで、図６、７に示すように、上記の容器におけるキャップａと中栓ｂの構造において、キャップ下部内面に雌ねじｃを配し、その雌ねじｃの上方に、中栓ｂを覆いノズルｄの先端と接する内面ｅを備えたドーム状のキャップ本体ｆが連続する構造となっている。これに加えて、キャップａの雌ねじｃと、これが螺合する容器本体ｇの首部開口における雄ねじｈとは、一般的にキャップの締め付け操作性などを考慮して或る程度のガタ付きを有するように成形されている。
しかしながら、ノズル先端の突堤ｉが接するキャップ本体ｆと雌ねじｃとが上下方向で離れた位置にあり、また、上述したように雌ねじｃと雄ねじｈとの間で所要のガタ付きを有していること、それに加えてノズルの反対側の部分とキャップとの間に隙間が得られるように成形されていることから、キャップを中栓に被せてから回し始めた際に、キャップ本体側が振れ易く中栓に対するガタ付き量が大きくなるという不都合が生じて、キャップの内面が設定とは異なる不適切な傾斜でノズルの突堤に摺接するようになっている。これはキャップを取り外すために回転させる際にも、不適切な傾斜でノズル先端の突堤を摺るようになっている。
【０００５】
キャップを着脱する毎にこのような不適切な傾斜でキャップ本体の内面がノズル先端の突堤を摺ると、その突堤が不良に片減りするなどするようになり、これによってキャップを締め付けても突堤とキャップの内面との間に隙間が開き、液漏れする可能性が生じる不都合があった。
【０００６】
そこで本発明は上記した事情に鑑み、キャップを取り付けたり取り外したりする際にそのキャップが不適切に横振れしないようにして、注出孔周りに設けられる突堤に対してキャップの内面を適正な状態で摺接させることを課題として、突堤の不良な変形を無くし液漏れを生じさせないことを目的とする。
【０００７】
【課題を解決するための手段】
本発明は上記課題を考慮してなされたもので、容器本体の首部開口に、注出孔を斜め上方に向けてなる注出部を側面上部に有する中栓を装着し、該中栓を覆うキャップが着脱可能にして取り付けられる液体注出用容器において、前記注出部の注出孔周りに突堤を配し、キャップの内面と前記突堤とが摺接して前記注出部が閉鎖可能に設けられ、前記中栓の注出部と対向する反対側の対応部における前記注出孔の中心と同じ高さ位置に、前記キャップの内面と摺接する凸部を設けたことを特徴とする液体注出用容器を提供して、上記課題を解消するものである。そして、前記中栓の注出部より下位の断面円状の中栓胴部に、該中栓胴部の全周に亘って外方に向けて突出するリング部を設け、該リング部がキャップ内面に摺接するようにしてもよい。さらに、前記キャップは透明素材又は半透明素材から成形されるものとし、かつ、中栓は有色素材から成形されるものとし、キャップを透かして中栓が透視可能に設けられているようにしてもよい。
【０００８】
【作用】
中栓の中心線を間にして相対向する注出部と対応部とにおいて、前記注出部には突堤が設けられ、対応部には凸部が設けられており、キャップを中栓の上方から被せて締め付け始めると突堤と凸部とがキャップの内面に同時に接し、振れが抑えられながらキャップが締め付けられ、キャップ内面が適正な傾斜状態となって突堤に摺接するようになる。
また、中栓胴部周りにキャップ内面に摺接するリング部が設けられていると、キャップを回しているときのそのキャップの傾きが更に規制されて、突堤に対応するキャップ内面の傾きが適正に維持されるようになる。
そして、キャップを透かして中栓が透視できるようにすると、キャップ内面に接している中栓の部分の彩度が高まった色合いとなって見え、よって、注出孔周りの突堤がキャップ内面に接していると、その突堤の部分が鮮やかな色合いになって見えるようになって、当接状態が確認できるようになる。
【０００９】
【実施例】
つぎに本発明を図１から図５に示す実施例に基づいて詳細に説明する。
図１は液体注出用容器で、該容器１は例えば縦長とした高密度ポリエチレン製の容器本体２の首部開口に、着色された低密度ポリエチレン製の中栓３を装着し、その中栓３を覆うようにして透明又は半透明のポリプロピレン製のキャップ４が取り付けられているものである（よって、中栓３とキャップ４との硬さの対比ではキャップ側が硬いものとなっている）。
前記中栓３は、図２に示すように中央天面を上方に向けて突出位置させた略門形の縦断面形状を有し、横断面を円筒状とした中栓胴部５からは断面略Ｌ形状の係合フランジ６が外方に張り出され、その下縁内周のアンダーカット部７を容器本体２における首部開口８の上縁に係合させている。また、前記中栓胴部５の下部に挿入環部９が連続し、この挿入環部９が首部開口８の内部に嵌入されている。
なお、図示されていないが、上記係合フランジ６の下縁内周にはアンダーカットを設けない平坦部が複数個所あり（即ち、アンダーカット部は不連続である）、また、首部開口８の上縁外周にはその平坦部に対応する縦リブを設けていて、中栓３を装着した後、前記平坦部と縦リブとが相互に係合し合って、中栓の回転を防止するようにしている。
【００１０】
中栓胴部５の上方に位置する中栓頭部１０には、中栓３を上下に通る中心線Ａ（容器を上下に通る中心線と同一）の方向に対し、上方に傾斜する方向に注出孔１１を臨ませてなる注出部１２が設けられている。そして、この中栓頭部１０の上方から見た形状においては、前記注出部１２側を細くするとともに、その注出部１２から該注出部１２の反対側となる部分、即ち、注出部１２と径方向で対向位置する対応部１３に向けて広がるようになっており、先細りする側に注出孔１１が存在することを一目で確認できるようにしている。
なお、注出部１２では中栓頭部１０の側壁部分に注出孔１１を貫通させており、その中栓３の側面方向から見た状態ではこの注出部１２は突出形状を呈しているものではない。このように注出部１２自体を側方に突出する形状としていないことから、従来容器のように、キャップ締め時に、ノズル先が下がるというようなことは生じないものである。
【００１１】
また、上記注出部１２の側方に臨む外側端１４（この外側端１４に注出孔１１が開口している）と、上記対応部１３の側方に臨む側端面１５とは共に、上記中心線Ａを間にして対称な位置にあって同じ傾斜角度となっている。そして、この注出部１２の外側端１４においては、注出孔１１周りにこの注出孔１１を囲む円状の突堤１６が設けられているとともに、前記突堤１６の突出量と同じ突出量とした中栓頭部の円周方向に延びる凸部１７が前記対応部１３の側端面１５に突設されていて、この突堤１６と凸部１７とが後述するようにキャップ内面に摺接可能となっているものである。
【００１２】
キャップ４は、図３に示すように球頭状にして中栓３を覆うキャップ本体１８と、雌ねじ１９を内周に有するねじ部２０とが段部２１を介して連続しているものであり、中栓３の上方から被せて前記ねじ部２０を容器本体２における首部開口の外周にある雄ねじ２２に螺着することにより、このキャップ４が容器本体２に取り付けられ、段部２１の内面側が中栓３の係合フランジ６の上面に当接するように設けられているものである。
さらに、このキャップ本体１８の内面にあっては、キャップ４を締め付けた時に、上記外側端１４（注出部１２）、側端面１５（対応部１３）と平行に相対する摺接面２３を有している。
【００１３】
上記摺接面２３を有するキャップ４は、このキャップ４を締め付け終わった時点で上記突堤１６、凸部１７が共に摺接面２３と当接状態となっているように成形されているものであり、前記突堤１６がこの摺接面２３に当接することによって注出部１２が閉鎖されることになる。
図５に示すように凸部１７は上記突堤１６の中心と同じ高さ位置に設定されている。更に詳しくは、注出孔１１の中心線とこの注出孔１１が貫通する側壁部の外側端１４との交点２５が位置する高さと、凸部１７の頂点の高さとが同じとされている。
【００１４】
このようにすることによって、キャップ４を被せて回し始め、キャップ４が少し傾いて摺接面２３が先ず突堤１６に軽く摺接し、摺接面２３と凸部１７との間に僅かな離れが生じていたような場合でも、下方に降りるキャップ４に対してキャップ内方から一個所の突堤１６が摺接していることから、雌ねじ１９と雄ねじ２２との螺着が進むうちにキャップの傾きが直されて、直ぐに凸部１７にも摺接面２３が軽く摺接し始めるようになる。
突堤１６が、注出孔１１の中心線と側壁部の外側端１４との交点２５に位置する高さと同じ位置と設定されていることにより、キャップ４の摺接面２３が突堤１６に軽く摺接し始めたときよりも、若干螺着が進み本格的にキャップ４の摺接面２３から力を受ける時点、即ち、外側端１４の位置における中心と凸部１７の高さとが一致することによって、より一層、突堤１６にかかる力が全体的に亘って均一化されるという利点がある。これは後述する交点２４、並びに交点２６が位置する高さに凸部１７ａ、１７ｂを設ける場合に比べてより有利である。そして、螺着が更に進んで突堤１６と凸部１７とが摺接面２３に摺接し続けて摺接面２３の傾斜が適正な状態に維持され、その適正な傾斜状態となっている摺接面２３に突堤１６が強く摺接するようになる。キャップ４を締め付けし終えた時には、前記摺接面２３が適正な傾斜となっているため、突堤１６が全体的に摺接面２３に強く当接して注出部１２が閉鎖される。
【００１５】
また、仮に、キャップ４を被せて回し始める時点で、摺接面２３が凸部１７に軽く摺接し、摺接面２３と突堤１６との間に僅かな離れが生じていたような場合でも、上記と同様に、下方に降りるキャップ４に対してキャップ内方から一個所の凸部１７が摺接していることから、螺着が進むうちにその凸部１７によって相対的に押し上げられることとなってキャップの傾きが直ぐに直されて、突堤１６にも摺接面２３が軽く摺接し始めるようになる。そして、螺着が更に進んで突堤１６と凸部１７とが摺接面２３に摺接し続けて摺接面２３の傾斜が適正な状態に維持され、その適正な傾斜の摺接面２３に突堤１６が強く摺接するようになる。キャップ４を締め付けし終えた時には、前記摺接面２３が適正な傾斜となっているため、突堤１６が全体的に摺接面２３に強く当接して注出部１２が閉鎖される。
【００１６】
上記とは逆にキャップ４を取り外す場合、キャップ４を緩め方向に回して上記摺接面２３に対して共に突堤１６と凸部１７とが摺接している場合には、その摺接面２３の傾斜は適正な状態となっており、不正な力が加わった状態で前記突堤１６が摺接することはない。そして突堤１６が摺接面２３から離れるときには、その突堤１６と同じ高さにある凸部１７もほぼ同時に離れるようになり、キャップ４が傾き続けた状態のままで摺接面２３に突堤１６が摺接し続けるすることがない。
【００１７】
上記実施例においては、凸部１７を中栓３の外周方向に沿って延びるリブ状とし、上記交点２５の高さ位置にしている（中栓を上方から見た状態では突堤１６と凸部１７とは径方向に対向している）が、本発明はこれに限定されない。例えば、図５に示すように、注出孔１１の中心線とこの注出孔１１が貫通する側壁部の肉厚方向の中心との交点２４の高さ位置に揃えるようにして凸部１７ａを設けたり、或いは、注出孔１１の中心線と突堤１６の上縁を結ぶ突出面との交点２６の高さ位置に揃えるようにして凸部１７ｂを設けたりしてもよい（なお、図において交点２５に対して凸部１７が、交点２４に対して凸部１７ａが、交点２６に対して凸部１７ｂが対応する）。
このように凸部１７の位置を僅かに変えたものであっても、上述したようにキャップ４の取り付け取り外しに際して摺接面２３が適正な傾斜状態で突堤１６に摺接させるようにすることができるものである。
【００１８】
上記中栓胴部５には、壁の肉厚を部分的に大きくすることによって外周に亘って外方に突出したリング部２７が一体に設けられている。このリング部２７はキャップ４の内面全周に摺接するものであり、キャップ４を回す際にキャップ４の内面とこのリング部２７とが摺接しキャップ４の傾きを更に規制し、修正するものである。
また、この実施例においてキャップ４は透明又は半透明となり、上記中栓は着色されて成形されているため、摺接面２３に当接する突堤１６の部分は中栓の他の部分の色彩より鮮やかに見えるようになる。これによって、突堤１６の当接状態が外部からキャップ４を通して簡単に確認でき、仮に突堤１６が片減りして閉鎖状態が不良となった場合でも、早期にその不良を発見できるようになっている。
【００１９】
【発明の効果】
以上説明したように本発明によれば、容器本体の首部開口に、注出孔を斜め上方に向けてなる注出部を側面上部に有する中栓を装着し、該中栓を覆うキャップが着脱可能にして取り付けられる液体注出用容器において、前記注出部の注出孔周りに突堤を配し、キャップの内面と前記突堤とが摺接して前記注出部が閉鎖可能に設けられ、前記中栓の注出部と対向する反対側の対応部における前記注出孔の中心と同じ高さ位置に、前記キャップの内面と摺接する凸部を設けたことを特徴とするものである。これによって、キャップを中栓の上方から被せて締め付け始めると前記突堤と凸部とが共にキャップの内面に同時に摺接するようになり、キャップの傾き（振れ）を抑えながらそのキャップを締め付けたり緩めたりでき、キャップ内面が適正な傾斜状態となって突堤に摺接して、突堤と摺接面との当接による注出部の閉鎖を確実に行えるようになる。
【００２０】
さらに、中栓胴部周りにキャップ内面に摺接するリング部を設けるようにすれば、キャップを回しているときの傾きを一層規制し易くなり、突堤に対応するキャップ内面の傾きを適正に修正し維持できるものとなる。そして、キャップを透かして有色の中栓が透視できるようにすると、注出孔周りの突堤がキャップ内面に接して鮮やかな色合いになって見えるようになり、注出部の閉鎖状態が極めて簡単に確認できるようになるなど、実用性に優れた効果を奏するものである。
【図面の簡単な説明】
【図１】本発明に係る液体注出用容器の一実施例を示す説明図である。
【図２】一実施例における中栓の装着状態を斜め上方から示す説明図である。
【図３】装着状態の中栓を断面で示す説明図である。
【図４】一実施例における中栓を示すもので、（イ）は上面から示す説明図、（ロ）は注出部側の側面を示す説明図、（ハ）は対応部側の側面を示す説明図、（ニ）は注出部と対応部とを横から見た状態で示す説明図、（ホ）は中栓の内部を下方から示す説明図である。
【図５】凸部の高さ位置を示す説明図である。
【図６】従来例を示す説明図である。
【図７】従来例におけるキャップの傾きを示す説明図である。
【符号の説明】
１…液体注出用容器
３…中栓
４…キャップ
８…首部開口
１１…注出孔
１２…注出部
１３…対応部
１６…突堤
１７，１７ａ，１７ｂ…凸部
２３…摺接面
Ａ…中心線
【図１】
0003541483.tif 000002
【図２】
0003541483.tif 000003
【図３】
0003541483.tif 000004
【図４】
0003541483.tif 000005
【図５】
0003541483.tif 000006
【図６】
0003541483.tif 000007
【図７】
0003541483.tif 000008